(57)【特許請求の範囲】
【請求項１】
発色用の第１の着色剤と、予め定められた色のインクが充填された所定のインクカートリッジがインクジェット記録装置に装着されているか否かを識別するための検出対象となる第２の着色剤とを含有するインクジェット記録用インクであって、
インクジェット記録用インクがイエローインクである場合には、該第１の着色剤が３６０〜４５０ｎｍの波長範囲内に最大吸収ピーク波長を示す顔料であり、該第２の着色剤が５５０〜７８０ｎｍの波長範囲内に検出吸収ピーク波長を有する染料又は顔料であり、
インクジェット記録用インクがマゼンタインクである場合には、該第１の着色剤が５００〜５７０ｎｍの波長範囲内に最大吸収ピーク波長を示す顔料であり、第２の着色剤が６００〜７８０ｎｍの波長範囲内に検出吸収ピーク波長を有する染料又は顔料であり、
インクジェット記録用インクがシアンインクである場合には、該第１の着色剤が５７０〜７８０ｎｍの波長範囲内に最大吸収ピーク波長を示す顔料であり、第２の着色剤が４５０〜５００ｎｍの波長範囲内に検出吸収ピーク波長を有する染料又は顔料であり、
該第１の着色剤の含有量が０．３〜１３重量％であり、該第２の着色剤の含有量が０．０１〜０．１重量％であり、
該第１の着色剤の最大吸収ピーク波長と該第２の着色剤の検出吸収ピーク波長とが、可視光領域に存在しており、
該第２の着色剤の検出吸収ピーク波長における吸光度（ｂ）が、該第２の着色剤の検出吸収ピーク波長におけるベースライン吸光度（ｃ）の１．２倍以上であり、
該インクジェット記録用インクと、そのインクから該第２の着色剤を除いて調製したインクとの色差（ΔＥ）が、３以下であり、且つ
該第２の着色剤の検出吸収ピーク波長における吸光度（ｂ）が、測定光路長１ｍｍ換算で１〜１０である
ことを特徴とするインクジェット記録用インク。
【請求項２】
該第２の着色剤の検出吸収ピーク波長における吸光度（ｂ）が、該第２の着色剤の検出吸収ピーク波長におけるベースライン吸光度（ｃ）の１．５倍以上である請求項１に記載のインクジェット記録用インク。
【請求項３】
該第１の着色剤の最大吸収ピーク波長と該第２の着色剤の検出吸収ピーク波長との差が、少なくとも５０ｎｍである請求項１又は２に記載のインクジェット記録用インク。
【請求項４】
該第２の着色剤が顔料である、請求項１〜３のいずれかに記載のインクジェット記録用インク。
【請求項５】
該第１の着色剤の最大吸収ピーク波長における吸光度（ａ）と、該第２の着色剤の検出吸収ピーク波長における吸光度（ｂ）とが、式（１）
【数１】
0005499423.tif 000007
を満足する請求項１〜４のいずれかに記載のインクジェット記録用インク。
【請求項６】
請求項１〜５のいずれかに記載のインクジェット記録用インクを充填したインクカートリッジを着脱自在に搭載し、該第２の着色剤を検出するための光センサーを内蔵するインクジェット記録装置。
【請求項７】
光センサーが、２波長以上の光を認識する光センサーである請求項６記載のインクジェット記録装置。
【発明の詳細な説明】
【技術分野】
【０００１】
本発明は、インクジェット記録用インク及びインクジェット記録装置に関する。
【背景技術】
【０００２】
インクジェット記録方式では、静電吸引式、電気−機械変換式、電気−熱変換式等の種々のインク吐出方式により、通常、イエロー、マゼンタ、シアン、更にブラックの各色のインクの小滴を紙等の被記録材に対して微細ノズルから噴射して付着させ、被記録材上でインクドットを形成して記録を行う。このようなインクジェット記録方式においては、被記録材表面でそれらのインクを画像情報に基づいて混合することにより様々な色を表現する。従って、意図したフルカラー記録を行うためには、インクジェット記録装置に予め定められた色のインクが充填された所定のインクカートリッジを装着する必要がある。
【０００３】
また、そのようなインクカートリッジに充填するインクとして、本来充填すべきインクと同色ではあるが、着色剤組成が異なるインクを使用した場合、微細なノズル内で固化又は析出が生じ、正常な印刷ができなくなることがある。従って、インクジェット記録装置において、予め定められた着色剤組成のインクが充填された所定のインクカートリッジが装着されているか否かを識別できるようにすることが要請されている。
【０００４】
ところで、インクジェット記録用インクに使用されている発色用の着色剤は、特定の波長の光のみを吸収し、それ以外の波長の光を透過させる性質を有している。そこで、上述した要請に対し、発色用の着色剤の最大吸収ピーク波長の光をインクに照射することでインクの種類を識別することが試みられている。しかし、インクジェット記録用インクに発色用の着色剤の最大吸収ピーク波長の光を照射しても、インク中の着色剤濃度が非常に高いため、そのような波長の光はほとんどインクを透過しない。従って、発色用の着色剤の最大吸収ピーク波長の光をインクに照射するという方法でインクの種別を正確に識別するには、適正な濃度までインクを水等の溶媒で希釈する必要がある。しかし、インクジェット記録装置内で、このような方法を利用してインクの種別を簡便に識別することは、非常に困難であった。
【０００５】
そのため、従来は、予め所定の色のインクカートリッジをインクジェット記録装置の所定の位置に目視で確認しながら装着することや、インクカートリッジにＩＣチップを取り付け、インクジェット記録装置の本体側で読取ることで、挿入されているインクカートリッジの色と位置を認識していた（特許文献１）。
【０００６】
【特許文献１】特開２００２−１９２８１０号公報
【発明の開示】
【発明が解決しようとする課題】
【０００７】
しかしながら、予め所定の色のインクカートリッジを目視で確認しながらインクジェット記録装置の所定の位置に装着した場合、インクカートリッジに充填されているインクが適正であるか否かということまでは判断できない。また、特許文献１に開示の手法の場合、特定のインクに対して専用のインクカートリッジを使用する必要があり、インクカートリッジのコストアップや管理が煩雑である点で問題があった。この場合も、インクカートリッジに充填されているインクが適正であるか否かということまでは判断できない。また、インクジェットプリンタでは、インクの耐候性を向上させる目的で、着色剤として顔料を用いる場合がある。しかし、顔料インクでは固形分を分散させているため、誤って異なる種類のインクがノズルに導入されると、顔料粒子の安定性が損なわれ、顔料粒子が凝集してノズルを閉塞させることがある。また、顔料インクに標識となる着色剤を添加することで、これまでの効果に加え、顔料粒子の凝集によるノズル閉塞を防止することが期待できる。
【０００８】
本発明は、以上の従来の技術の課題を解決しようとするものであり、予め定められた色のインクが充填された所定のインクカートリッジがインクジェット記録装置に装着されているか否かを、簡便に識別できるようにすることを目的とする。
【課題を解決するための手段】
【０００９】
本発明者は、インクジェット記録用インクに、発色用の着色剤として顔料を使用し、更に、発色用の着色剤の最大吸収ピーク波長と実質的に重ならない吸収ピーク波長を示し、且つインクの発色には実質的には関与せず、発色用の着色剤に比べて相対的に低い吸光度を示す検出用の着色剤（染料又は顔料）を併用した場合、検出用の着色剤の吸収ピーク波長の光を照射すると、発色用の着色剤により吸収されることがないため、検出用の着色剤の有無を容易に検出できることを見出し、本発明を完成させるに至った。
【００１０】
即ち、本発明は、発色用の第１の着色剤と検出用の第２の着色剤とを含有するインクジェット記録用インクであって、
該第１の着色剤が顔料であり、
該第１の着色剤の最大吸収ピーク波長と該第２の着色剤の検出吸収ピーク波長とが互いに異なる波長であり、
該第２の着色剤の検出吸収ピーク波長における吸光度（ｂ）が、該第２の着色剤の検出吸収ピーク波長におけるベースライン吸光度（ｃ）の１．２倍以上であり、
該インクジェット記録用インクと、そのインクから該第２の着色剤を除いて調製したインクとの色差（ΔＥ）が、３以下であり、且つ
該第２の着色剤の検出吸収ピーク波長における吸光度（ｂ）が、測定光路長１ｍｍ換算で１〜１０である
ことを特徴とするインクジェット記録用インクを提供する。
【００１１】
また、本発明は、このインクジェット記録用インクを充填したインクカートリッジを着脱自在に搭載し、該第２の着色剤を検出するための光センサーを内蔵するインクジェット記録装置を提供する。ここで、光センサーが２波長以上の光を認識できることが好ましい。
【発明の効果】
【００１２】
本発明のインクジェット記録用インクは、発色用の着色剤として顔料を使用し、その顔料に加えて、インクの発色には実質的には関与しない検出用の着色剤（染料又は顔料）を併用している。この検出用の着色剤は、発色用の着色剤の最大吸収ピーク波長とは異なる吸収ピーク波長を示し、且つ発色用の着色剤に比べて相対的に低い吸光度を示す。従って、インクジェット記録用インクに、検出用の着色剤の吸収ピーク波長の光を照射した場合、発色用の着色剤の強い影響を受けないため、インク中における検出用の着色剤の有無を検出できる。よって、検出用の着色剤の有無を検出し、実際に検出できた場合には、予め定められた着色剤組成のインクが充填された所定のインクカートリッジがインクジェット記録装置に装着されていると判断でき、逆に、検出できなかった場合には、予め定められた着色剤組成のインクが充填された所定のインクカートリッジがインクジェット記録装置に装着されていないと判断できる。なお、検出用の着色剤として顔料を使用した場合には、印字物が水に触れても、染料と異なり印字物が滲んだり、変色したりすることがない。
【発明を実施するための最良の形態】
【００１３】
本発明のインクジェット記録用インクは、発色用の第１の着色剤と検出用の第２の着色剤とを含有する。本発明においては、図１Ａに示すように、第１の着色剤の最大吸収ピーク波長と第２の着色剤の検出吸収ピーク波長とが異なっている。この場合、第１の着色剤の最大吸収ピーク波長と第２の着色剤の検出吸収ピーク波長とは、赤外線領域、可視光領域（即ち、３６０ｎｍ〜７８０ｎｍ）あるいは紫外線領域のいずれに存在してもよいが、可視光領域に存在することが好ましい。
【００１４】
また、第２の着色剤の検出吸収ピーク波長の吸光度（ｂ）は、図１Ｂに示すように、第２の着色剤の検出吸収ピーク波長におけるベースライン吸光度（ｃ）の１．２倍以上となることが必要である。好ましくは１．５倍以上である。これは、吸光度（ｂ）がベースライン吸光度（ｃ）の１．２倍未満であると、第２の着色剤を充分に検知できなくなる傾向があるからである。ここで、ベースライン吸光度（ｃ）とは、吸光度曲線において、第２の着色剤の検出吸収ピークのピークの立ち上がり開始点と終了点の２点を結んだ直線をベースラインとし、第２の着色剤の検出吸収ピーク波長でのベースラインにおける吸光度を意味する。または、ベースライン吸光度（ｃ）とは、第２の着色剤の検出吸収ピーク波長での、インクジェット記録用インクから検出用の第２の着色剤を除いた液体の吸光度でもある。
【００１５】
また、本発明のインクジェット記録用インクにおいては、第２の着色剤の検出吸収ピーク波長における吸光度（ｂ）が、測定光路長１ｍｍ換算且つインク原液換算（希釈して測定した場合）した場合に１〜１０となるようにすることが必要である。これは、１を下回ると着色剤自体の吸収が減少して、検出吸収ピークの検出が難しくなり、１０を超えると光がインクジェット記録用インクを透過しなくなるからである。ここで、測定光路長１ｍｍ換算とは、例えば、測定光路長１０ｍｍであれば、そのときの吸光度の実測値を１／１０にするということであり、測定光路長５ｍｍであれば、そのときの吸光度の実測値を１／５にするという意味である。また、インク原液換算とは、希釈して測定した吸光度の実測値に希釈倍率を乗じることである。例えば、インク原液を１０００倍希釈して測定したのであれば、そのときの吸光度の実測値に希釈倍率である１０００を乗じることであり、インク原液を１６００倍希釈して測定したのであれば、そのときの吸光度の実測値に希釈倍率である１６００を乗じるという意味である。
【００１６】
本発明のインクジェット記録用インクにおいて、第１の着色剤の最大吸収ピーク波長と第２の着色剤の検出吸収ピーク波長とが異なっている程度は、インクの吸光度曲線における第１の着色剤の光吸収領域から、完全に離れた位置に第２の着色剤の検出吸収ピーク波長が存在することが好ましいが、第２の着色剤の検出吸収ピーク波長が検出できるのであれば、第１の着色剤の光収吸曲線のショルダーに、第２の着色剤の検出吸収ピーク波長が位置してもよい。具体的には、第２の着色剤の検出吸収ピーク波長が、第１の着色剤の最大吸収ピーク波長から、少なくとも５０ｎｍ離れていることが好ましい。
【００１７】
また、本発明のインクジェット記録用インクにおいて、第２の着色剤の検出吸収ピークは、第２の着色剤の検出吸収ピークが検出できるのであれば、第２の着色剤の最大吸収ピークと同一のピークであっても、異なったピークであってもよい。
【００１８】
また、本発明のインクジェット記録用インクにおいて、第２の着色剤は発色用ではなく検出用に用いられているが、インクジェット記録用インクの発色に実質的に影響を与えないものであることが望まれる。この影響を与えないレベルは、検出用の第２の着色剤を含有する本発明のインクジェット記録用インクと、そのインクから第２の着色剤を除いて調製した比較インクとの色差（ΔＥ）で評価することができ、色差が大きすぎると意図したインクの色味を実現できなくなるので、その色差（ΔＥ）が３以下となるようにする必要がある（色差の測定は、１９７６年に国際照明委員会（ＣＩＥ）で規格化されたＬ＊ａ＊ｂ＊表色系（ＣＩＥ１９７６（Ｌ＊ａ＊ｂ＊）表色系）又はＪＩＳ  Ｚ８７２９参照）。
【００１９】
なお、本発明のインクジェット記録用インクにおいては、第１の着色剤の最大吸収ピーク波長における吸光度（ａ）と、第２の着色剤の検出吸収ピーク波長の吸光度（ｂ）とが、式（１）を満足する関係にあることが好ましい。これは、“ａ／ｂ”が小さすぎると色差（ΔＥ）が大きくなる傾向があり、大きすぎると第２の着色剤を充分に検知できなくなる傾向があるからである。
【００２０】
【数１】
0005499423.tif 000002
【００２１】
上述したような第１の着色剤と第２の着色剤の好ましい組み合わせの例を以下に示す。なお、第１の着色剤及び第２の着色剤は、それぞれ単一の着色剤を使用してもよいが、２以上の着色剤を併用してもよい。ここで、第１の着色剤において２以上の着色剤を併用した場合の最大吸収ピーク波長とは、各着色剤の最大吸収ピーク波長の中で、最も吸収が大きいピーク波長を意味する。また、第２の着色剤において２以上の着色剤を併用した場合の検出吸収ピーク波長とは、前述で規定した吸光度（ｂ）及び（ｃ）において所定の関係が満たされる限り、任意に選択することができる。
【００２２】
（インクジェット記録用イエローインクの場合）
第１の着色剤が３６０〜４５０ｎｍの波長範囲内に最大吸収ピーク波長を示す顔料（例えば、ＣＡＢ−Ｏ−ＪＥＴ（登録商標）２７０Ｙ等）であり、第２の着色剤が５５０〜７８０ｎｍの波長範囲内に検出吸収ピーク波長を有する染料（例えば、Ｃ．Ｉ．ダイレクトブルー１９９、Ｃ．Ｉ．アシッドレッド５２、Ｃ．Ｉ．アシッドブルー９、Ｃ．Ｉ．アシッドブルー１７５等）又は第２の着色剤が５５０〜７８０ｎｍの波長範囲内に検出吸収ピーク波長を有する顔料（例えば、ＣＡＢ−Ｏ−ＪＥＴ（登録商標）２５０Ｃ、ＣＡＢ−Ｏ−ＪＥＴ（登録商標）５５４Ｂ、ＣＡＢ−Ｏ−ＪＥＴ（登録商標）１０２７Ｒ等）である組み合わせ。
【００２３】
（インクジェット記録用マゼンタインクの場合）
第１の着色剤が５００〜５７０ｎｍの波長範囲内に最大吸収ピーク波長を示す顔料（例えば、ＣＡＢ−Ｏ−ＪＥＴ（登録商標）２６０Ｍ等）であり、第２の着色剤が６００〜７８０ｎｍの波長範囲内に検出吸収ピーク波長を有する染料（例えば、Ｃ．Ｉ．ダイレクトブルー１９９、Ｃ．Ｉ．アシッドブルー９、Ｃ．Ｉ．アシッドブルー１７５等）又は第２の着色剤が６００〜７８０ｎｍの波長範囲内に検出吸収ピーク波長を有する顔料（例えば、ＣＡＢ−Ｏ−ＪＥＴ（登録商標）２５０Ｃ、ＣＡＢ−Ｏ−ＪＥＴ（登録商標）５５４Ｂ等）である組み合わせ。
【００２４】
（インクジェット記録用シアンインクの場合）
第１の着色剤が５７０〜７８０ｎｍの波長範囲内に最大吸収ピーク波長を示す顔料（例えば、ＣＡＢ−Ｏ−ＪＥＴ（登録商標）２５０Ｃ等）であり、第２の着色剤が４５０〜５００ｎｍの波長範囲内に検出吸収ピーク波長を有する染料（例えば、Ｃ．Ｉ．アシッドオレンジ１２２、Ｃ．Ｉ．アシッドオレンジ８０等）又は第２の着色剤が４５０〜５００ｎｍの波長範囲内に検出吸収ピーク波長を有する顔料（例えば、Ｃ．Ｉ．ピグメントオレンジ７１等）である組み合わせ。
【００２５】
なお、本発明のインクジェット記録用インク中の前述の第１の着色剤及び第２の着色剤のそれぞれの含有量は、吸光度（ｂ）が上述の所定の数値であり、吸光度（ｂ）と（ｃ）とが所定の関係を満たしており（好ましくは吸光度（ａ）、（ｂ）及び（ｃ）が所定の関係を満たしており）、且つ検出用の第２の着色剤を含有する本発明のインクジェット記録用インクと、そのインクから第２の着色剤を除いて調製した比較インクとの色差（ΔＥ）が３以下であることを前提とし、前者（即ち、第１の着色剤）が一般的には０．１〜１５重量％、好ましくは０．３〜１３重量％、より好ましくは０．５〜１０重量％、後者（即ち、第２の着色剤）が一般的には０．００１〜０．３重量％、好ましくは０．０１〜０．１重量％である。
【００２６】
本発明のインクジェット記録用インクは、第１の着色剤と第２の着色剤に加えて、溶媒として、水と水溶性有機溶媒との混合溶媒を含有することが好ましい。
【００２７】
水としては、脱イオン水を使用することが好ましい。本発明のインクジェット記録用インクにおける水の含有量は、上記水溶性有機溶媒の種類や組成、所望のインク特性に応じて、広い範囲で決定されるが、本発明のインクジェット記録用インク全量に対して一般に、１０〜９５重量％、好ましくは４０〜８０重量％である。
【００２８】
水溶性有機溶媒は、主としてインクジェットヘッドの先端部におけるインクの乾燥防止効果を有する湿潤剤と、紙面上での乾燥速度を速くする浸透剤とに分類される。
【００２９】
上記湿潤剤としては特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン、ジアセトンアルコール等のケトン又はケトアルコール；テトラヒドロフラン、ジオキサン等のエーテル；ポリエチレングリコール、ポリプロピレングリコール等のポリアルキレングリコール；エチレングリコール、プロピレングリコール、ブチレングリコール、ジエチレングリコール、トリエチレングリコール、ジプロピレングリコール、トリプロピレングリコール、チオジグリコール、ヘキシレングリコール等のアルキレングリコール；グリセリン；２−ピロリドン；Ｎ−メチル−２−ピロリドン；１，３−ジメチル−２−イミダゾリジノン等を挙げることができる。なかでも、アルキレングリコール、グリセリン等の多価アルコールが好適である。また、これらの湿潤剤は、単独又は２種類以上を混合して用いることもできる。
【００３０】
湿潤剤の本発明のインクジェット記録用インクにおける含有量は、本発明のインクジェット記録用インク全量に対して、一般には０〜９５重量％、好ましくは１０〜８０重量％、より好ましくは１０〜５０重量％である。
【００３１】
上記浸透剤としては特に限定されず、例えば、エチレングリコールメチルエーテル、エチレングリコールエチルエーテル、エチレングリコールプロピルエーテル、ジエチレングリコールメチルエーテル、ジエチレングリコールエチルエーテル、ジエチレングリコールプロピルエーテル、ジエチレングリコールブチルエーテル、トリエチレングリコールメチルエーテル、トリエチレングリコールエチルエーテル、トリエチレングリコールプロピルエーテル、トリエチレングリコールブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、トリプロピレングリコールメチルエーテル、トリプロピレングリコールエチルエーテル、トリプロピレングリコールプロピルエーテル、トリプロピレングリコールブチルエーテル等のグリコール系エーテルを挙げることができる。また、これらの浸透剤は、単独又は２種類以上を混合して用いることもできる。
【００３２】
浸透剤の本発明のインクジェット記録用インクにおける含有量は、含有量が過剰であると、インクの紙への浸透性が高くなりすぎて滲みの原因となってしまうことがあるので、本発明のインクジェット記録用インク全量に対して、一般には０〜２０重量％、好ましくは０．１〜１５重量％、より好ましくは１〜１０重量％である。
【００３３】
本発明のインクジェット記録用インクは、更に必要に応じて、粘度調整剤、表面張力調整剤、防黴剤等の従来公知の添加剤を含有していてもよい。上記粘度調整剤としては特に限定されず、例えば、ポリビニルアルコール、セルロース類、水溶性樹脂等を挙げることができる。
【００３４】
本発明のインクジェット記録用インクは、第１の着色剤と第２の着色剤と、水や水溶性有機溶剤等の他の添加成分とを、均一に混合し、フィルターで不溶解物を除去することにより調製することができる。
【００３５】
以上説明した本発明のインクジェット記録用インクを、インクカートリッジに充填し、そのインクカートリッジを、第２の着色剤を検出するための光センサーを内蔵するインクジェット記録装置に着脱自在に搭載することにより、適正インクが充填されているインクカートリッジであるか否かが容易に判別可能となる。インクカートリッジとしては、公知のものを利用することができる（例えば、特開２００２−２９２８９０号公報参照）。また、光センサーとしても、公知の光センサーを利用することができる（例えば、特開２００４−１８１６７４号公報、特開平７−２３２４４０号公報）。この場合、第２の着色剤の検出吸収ピーク波長の光を発する公知の光源（例えば、特開２００４−１８１６７４号公報、特開平７−２３２４４０号公報）をインクジェット記録装置に内蔵させることが好ましい。なお、光センサーとして、２波長以上の光を認識可能なセンサーを使用することが好ましい。１波長の吸収の測定では、インク濃度の影響を受けたり、異なる成分が混入した際に影響を受け易いため、２波長（１光源）の強度差を測定することで、検知精度を向上させることが可能である。
【００３６】
本発明のインクジェット記録用インクを用いたインクジェット記録装置本体の概略構成を示す斜視図を図２に示す。このインクジェット記録装置１は、シアン、マゼンタ、イエロー及びブラックの４色のカラーインクがそれぞれ充填されるインクカートリッジ２と、記録紙等の被記録材Ｐに印字するためのインクジェットヘッド３を備えるヘッドユニット４と、インクカートリッジ２及びヘッドユニット４が搭載されるキャリッジ５と、このキャリッジ５を直線方向に往復移動させる駆動ユニット６と、キャリッジ５の往復移動方向に延び、インクジェットヘッド３と対向して配置されるプラテンローラ７と、パージ装置８とを備えている。また、インクカートリッジ２からインクジェットヘッド３のノズルまでの間の各インク流路のインクに対し、第２の着色剤の検出吸収ピーク波長の光を照射する光源と、インクを透過した光を受光する光センサーとを備えている。例えば、インクカートリッジがキャリッジに直接搭載される図２のインクジェット記録装置の場合、キャリッジ５の内部又はキャリッジ５の対面側の側面に光センサーを設け、リセット位置に光源を設置すればよい。図示してはいないが、インクカートリッジからインクジェットヘッドへインクがチューブで供給されるインクジェット記録装置の場合には、光センサーをインクカートリッジ、インク流路、ヘッド内のノズル手前に設置し、好ましくはカートリッジに設置し、それに対応する適当な位置に光源を設置すればよい。
【００３７】
ヘッドユニット４の載置部４ａ上には、載置部４ａの両側に形成された一対のサイドカバー４ｂとの間に、シアンインク、マゼンタインク、イエローインク及びブラックインクが充填された４つのインクカートリッジ２が装着される。
【００３８】
駆動ユニット６は、キャリッジ５の下端部に配置されプラテンローラ７と平行に延びるキャリッジ軸９と、キャリッジ５の上端部に配置されキャリッジ軸９に平行に延びるガイド板１０と、そのキャリッジ軸９とガイド板１０との間であって、キャリッジ軸９の両端部に配置される２つのプーリ１１及び１２と、これらのプーリ１１及び１２の間に掛け渡されるエンドレスベルト１３とからなる。
【００３９】
そして、一方のプーリ１１が、キャリッジモータ１０１の駆動により正逆回転されると、そのプーリ１１の正逆回転に伴って、エンドレスベルト１３に接合されているキャリッジ５が、キャリッジ軸９及びガイド板１０に沿って、直線方向に往復移動される。
【００４０】
被記録材Ｐは、インクジェット記録装置１の側方又は下方に設けられた給紙カセット（図示せず）から給紙され、インクジェットヘッド３と、プラテンローラ７との間に導入されて、インクジェットヘッド３から吐出されるインクにより所定の印字がなされ、その後、排紙される。なお、図２においては、被記録材Ｐの給紙機構及び排紙機構の図示を省略している。
【００４１】
パージ装置８は、プラテンローラ７の側方に設けられ、ヘッドユニット４がリセット位置にある時に、インクジェットヘッド３に対向するように配置されている。このパージ装置８は、インクジェットヘッド３の複数のノズル（図示せず）を覆うように当該ノズルの開口面に対し当接するパージキャップ１４と、ポンプ１５及びカム１６と、インク貯留部１７とを備えており、ヘッドユニット４が、リセット位置にある時に、インクジェットヘッド３のノズルをパージキャップ１４で覆い、インクジェットヘッド３の内部に溜まる気泡等を含んだ不良インクを、カム１６の駆動によりポンプ１５によって吸引することにより、インクジェットヘッド３の回復を図るようにしている。なお、吸引された不良インクは、インク貯留部１７に貯められる。
【００４２】
パージ装置８におけるプラテンローラ７側の位置には、パージ装置８に隣接してワイパ部材２０が配設されている。このワイパ部材２０は、へら状に形成されており、キャリッジ５の移動に伴って、インクジェットヘッド３のノズル形成面を拭うものである。キャップ１８は、インクの乾燥を防止するため、印字が終了するとリセット位置に戻されるインクジェットヘッド３の複数のノズルを覆うものである。
【００４３】
このインクジェット記録装置においては、インクカートリッジ２からインクジェットヘッド３のノズルまでの間の各インク流路のインクに対し、第２の着色剤の検出吸収ピーク波長の光を照射する光源から光を照射し、インクを透過した光を光センサーで受光する。そして、第２の着色剤の検出吸収ピーク波長において、べースライン吸光度を超える吸光度を示す吸収ピークを検出し、その入射光強度と透過光強度の比を取ることができる。従って、インク中に第２の着色剤の存在を確認することができ、適正なインクが充填されたインクカートリッジがインクジェット記録装置に装着されていることを判別することが可能となる。
【実施例】
【００４４】
実施例Ｙ１〜Ｙ５、比較例Ｙ１〜Ｙ５
表１のインク組成を混合攪拌後、孔径３μｍのセルロースアセテートタイプメンブレンフィルタ（東洋濾紙（株）製）で濾過することにより、インクジェット記録用イエローインクを得た。
【００４５】
実施例Ｍ１〜Ｍ５、比較例Ｍ１〜Ｍ４
表２のインク組成を混合攪拌後、孔径孔径３μｍのセルロースアセテートタイプメンブレンフィルタ（東洋濾紙（株）製）で濾過することにより、インクジェット記録用マゼンタインクを得た。
【００４６】
実施例Ｃ１〜Ｃ３、比較例Ｃ１〜Ｃ４
表３のインク組成を混合攪拌後、孔径孔径３μｍのセルロースアセテートタイプメンブレンフィルタ（東洋濾紙（株）製）で濾過することにより、インクジェット記録用シアンインクを得た。
【００４７】
（評価方法）
得られた各色のインクジェット記録用インクについて、以下に説明するように吸光度測定を行い、第１の着色剤の最大吸収ピーク波長における吸光度（ａ）、第２の着色剤の検出吸収ピーク波長における吸光度（ｂ）、第２の着色剤の検出吸収ピーク波長におけるベースライン吸光度（ｃ）とを求め、ベースライン吸光度比（ｂ／ｃ）と着色剤吸光度比（ａ／ｂ）とを算出した。得られた結果を表１〜表３に示す。また、得られた各色のインクジェット記録用インクについて、インク検出評価、色差評価及び総合評価を、以下に説明するように行った。得られた結果を表１〜表３に併せて示す。
【００４８】
＜吸光度測定＞
第１の着色剤の最大吸収ピーク波長における吸光度（ａ）の測定においてはイエローインク１６００倍希釈液（希釈溶媒：純水）、マゼンタインク１０００倍希釈液（希釈溶媒：純水）及びシアンインク１０００倍希釈液（希釈溶媒：純水）、第２の着色剤の検出吸収ピーク波長における吸光度（ｂ）の測定においてはイエローインク原液、マゼンタインク原液及びシアンインク１０倍希釈液（希釈溶媒：純水）について、それぞれの吸光度曲線を、分光光度計（ＵＶ３６００、株式会社島津製作所製）を用い、セル長１ｍｍで純水をリファレンスとして測定した。その後、それぞれ測定光路長１ｍｍ換算及びインク原液換算をした値を算出した。
【００４９】
＜インク検出評価＞
イエローインク原液、マゼンタインク原液及びシアンインク原液を、市販のインクジェット記録装置（ＤＣＰ−３３０Ｃ、ブラザー工業（株）製）用のインクカートリッジにそれぞれ充填した。インクカートリッジにはセル長さが２ｍｍとなる突起領域が形成され、その部位に対応するインクジェット記録装置の箇所に光センサーを設置し、第２の着色剤の検出吸収ピーク波長を検出した。検出できた場合、表１〜表３に“Ｇ”と記載し、検出できなかった場合を“ＮＧ”を記載した。
【００５０】
＜色差評価＞
各実施例及び比較例で得られたイエローインク１６００倍希釈液（希釈溶媒：純水）、マゼンタインク１０００倍希釈液（希釈溶媒：純水）及びシアンインク１０００倍希釈液（希釈溶媒：純水）について、セル長１０ｍｍで純水をリファレンスとして分光光度計（ＵＶ３６００、株式会社島津製作所製）を用いて色測定を行い、それぞれＬ＊値、ａ＊値及びｂ＊値を求めた。得られた数値をそれぞれＬ＊１、ａ＊１及びｂ＊１とした。これらの数値は、１９７６年に国際照明委員会（ＣＩＥ）で規格化されたＬ＊ａ＊ｂ＊表色系（ＣＩＥ１９７６（Ｌ＊ａ＊ｂ＊）表色系）に基づくものである（ＪＩＳ  Ｚ８７２９参照）。
【００５１】
第２の着色剤を使用せず、第２の着色剤の減少分を水で補った参照用のインクジェット記録用インクを調製し、同様に色測定を行い、それぞれＬ＊値、ａ＊値及びｂ＊値を求めた。得られた数値をそれぞれＬ＊２、ａ＊２及びｂ＊２とした。
【００５２】
得られたＬ＊１、ａ＊１及びｂ＊１とＬ＊２、ａ＊２及びｂ＊２の数値を式（３）に代入して色差（ΔＥ）を求めた。
【００５３】
【数２】
0005499423.tif 000003
【００５４】
また、各実施例及び比較例で得られたインクを所望のインクカートリッジに充填し、インクジェットプリンタ搭載デジタル複合機（ブラザー工業（株）製；ＤＣＰ−１１０Ｃ）に装着し、光沢紙にイエロー、マゼンタ及びシアンインク各色の単色グラデーションサンプルを印字した。同様に、第２の着色剤を使用せず、第２の着色剤の減少分を水で補った参照用のインクジェット記録用インクを調製し、単色グラデーションサンプルを印字した。使用した光沢紙は、画彩（登録商標）フジフィルム高級光沢紙（富士写真フィルム（株）製）である。
【００５５】
得られた各色の対応する単色グラデーションサンプル同士を目視にて観察し、印字物の区別がつかない場合、表１〜表３に“Ｇ”と記載し、区別がついた場合“ＮＧ”と記載した。
【００５６】
＜総合評価＞
インク検出評価の結果と色差評価の結果とを参酌して、以下の基準で総合評価した。
【００５７】
総合評価基準
Ａ：  インク検出評価と色差評価の結果がいずれもＧである場合
Ｃ：  インク検出評価と色差評価の結果の少なくとも一方がＮＧの場合
【００５８】
【表１】
0005499423.tif 000004
【００５９】
【表２】
0005499423.tif 000005
【００６０】
【表３】
0005499423.tif 000006
【００６１】
表１〜表３から明らかなように、第２の着色剤の検出吸収ピーク波長における吸光度（ｂ）が第２の着色剤の検出吸収ピーク波長におけるベースライン吸光度（ｃ）の１．２倍以上のインクジェット記録用インクであって、該インクと該インクから第２の着色剤を除いて調製したインクとの色差（ΔＥ）が３以下であり、且つ第２の着色剤の検出吸収ピーク波長における吸光度が測定光路長１ｍｍ換算において１〜１０である実施例の各色のインクジェット記録用インクは、インク検出評価、色差評価及び総合評価について、いずれも良好な結果であった。一方、これらの条件のいずれかが欠けている比較例のインクジェット記録用インクは、少なくともインク検出評価及び色差評価のいずれかに問題があり、いずれも総合評価が好ましい例ではなかった。
【産業上の利用可能性】
【００６２】
本発明のインクジェット記録用インクは、発色用の着色剤として顔料を使用し、その顔料に加えて、発色用の着色剤の最大吸収ピーク波長とは異なる吸収ピーク波長を示し、発色用の着色剤に比べて相対的に低い吸光度を示し、インクの発色には実質的には関与しない検出用の着色剤を併用している。従って、インクジェット記録用インクに、検出用の着色剤の吸収ピーク波長の光を照射した場合、発色用の着色剤の強い影響を受けないため、インク中における検出用の着色剤の有無を検出できる。よって、インクジェット記録装置に適したインクジェットカートリッジが装着されているか否かを確実に把握することが可能となり、良好な品質のカラー画像の取得と、インクジェット記録装置の故障の防止とを実現することができる。従って、本発明のインクジェット記録用インクは、インクジェット記録用インクとして大きな利点を有するインクである。
【図面の簡単な説明】
【００６３】
【図１Ａ】インクジェット記録用インクの吸光度曲線である。
【図１Ｂ】第２の着色剤の検出吸収ピーク波長近傍の吸光度曲線である。
【図２】インクジェット記録装置本体の概略斜視図である。
【符号の説明】
【００６４】
１    インクジェット記録装置
２    インクカートリッジ
３    インクジェットヘッド
４    ヘッドユニット
４ａ  載置部
４ｂ  サイドカバー
５    キャリッジ
６    駆動ユニット
７    プラテンローラ
８    パージ装置
９    キャリッジ軸
１０  ガイド板
１０１キャリッジモータ
１１  プーリ
１２  プーリ
１３  エンドレスベルト
１４  パージキャップ
１５  ポンプ
１６  カム
１７  インク貯留部
１８  キャップ
２０  ワイパ部材
Ｐ    被記録材
【図１Ａ】
0005499423.tif 000008
【図１Ｂ】
0005499423.tif 000009
【図２】
0005499423.tif 000010